(57)【特許請求の範囲】
【請求項１】
当該携帯機器内回路に異常電流が流れたときに、該回路の電源から供給される電流を制限するようになされた自己復帰型電流制限手段と、
該自己復帰型電流制限手段で電流制限がなされたことを検出して、少なくとも前記回路への電源からの電力供給を遮断状態に保持する遮断保持手段と、
前記自己復帰型電流制限手段により電流制限されたことの検出情報を記憶する記憶手段と、
前記遮断保持手段で遮断された電力供給を再度開始するように、遮断状態の保持を解除する解除手段とを有し、
前記解除手段による遮断状態の保持の解除は、前記記憶手段に記憶された電流制限に係る検出情報を無効化することにより行うことを特徴とする携帯機器の電源装置。
【請求項２】
前記解除手段を制御する操作手段を更に有し、前記遮断保持手段で遮断状態を保持している状態において、前記操作手段の操作により、その操作に連動して前記記憶手段に記憶された電流制限に係る検出情報を無効化するように構成されていることを特徴とする請求項１に係る携帯機器の電源装置。
【請求項３】
前記遮断保持手段において遮断状態を保持していることを告知する告知手段を更に有していることを特徴とする請求項１又は２に係る携帯機器の電源装置。
【請求項４】
当該携帯機器内の複数の回路の各々に対して設けられ、所定の回路に異常電流が流れたときに該回路の電源から供給される電流を各回路毎に制限するようになされた自己復帰型電流制限手段と、
該自己復帰型電流制限手段で所定の回路に対する電流制限がなされたことを検出して、少なくとも前記所定の回路への電源からの電力供給を遮断状態に保持する遮断保持手段と、
前記自己復帰型電流制限手段により電流制限されたことの検出情報を記憶する記憶手段と、
前記遮断保持手段で遮断された所定の回路への電力供給を再度開始するように遮断状態の保持を解除する解除手段とを有し、
前記解除手段による遮断状態の保持の解除は、前記記憶手段に記憶された電流制限に係る検出情報を無効化することにより行うことを特徴とする携帯機器の電源装置。
【請求項５】
前記遮断保持手段により遮断状態に保持された回路を特定するように告知する告知手段を更に有することを特徴とする請求項４に係る携帯機器の電源装置。
【請求項６】
前記遮断保持手段で遮断された所定の回路以外の回路への電力供給を許可する許可手段を更に有することを特徴とする請求項４又は５に係る携帯機器の電源装置。
【請求項７】
前記自己復帰型電流制限手段による前記異常電流時の電流制限が、抵抗値データとして検出されるように構成されていることを特徴とする請求項１〜６のいずれか１項に係る携帯機器の電源装置。
【請求項８】
前記自己復帰型電流制限手段による前記異常電流時の電流制限が、温度データとして検出されるように構成されていることを特徴とする請求項１〜６のいずれか１項に係る携帯機器の電源装置。
【請求項９】
前記自己復帰型電流制限手段による前記異常電流時の電流制限が、電流データとして検出されるように構成されていることを特徴とする請求項１〜６のいずれか１項に係る携帯機器の電源装置。
【発明の詳細な説明】
【０００１】
【発明の属する技術分野】
この発明は、携帯機器の電源装置、特に自己復帰型回路保護素子を備えた携帯機器の電源装置に関する。
【０００２】
【従来の技術】
電子カメラ等の携帯用の電子機器においては、電源に組み込まれた回路に、例えば回路のショートなどにより異常電流が発生することがあり、その異常電流による電源ないしは回路の破壊を保護する手段として、従来、ヒューズが一般的に用いられている。しかしながら、ヒューズの溶断により機器内の電源ないしは回路のダメージは最小限にとどめることはできるが、ヒューズは一度溶断すると、再利用できず、二度と復帰させることはできない。したがって、異常電流の発生により一旦溶断すると、電子カメラ等の携帯機器を分解し、溶断したヒューズの実装交換という煩雑な作業をしなければならないという問題点があった。
【０００３】
これに対し、特開平８−３２３６１号公報に示されているようなＰＴＣ（正温度特性）型感熱素子などの自己復帰型の保護素子を用いたものが提案されている。この公報提案のものは、通電路とパワートランジスタの発熱を受ける位置に、パワートランジスタの制御電極に接続されたＰＴＣ型感熱素子を配置し、発熱によるＰＴＣ型感熱素子の抵抗値変化により、パワートランジスタをオフ・オフ制御するように構成したものである。このＰＴＣ型感熱素子は、交換せずに繰り返し使えるメンテナンスフリーという特徴をもっている。
【０００４】
【発明が解決しようとする課題】
しかしながら、ＰＴＣ型感熱素子のような自己復帰型の保護素子を、単に回路保護素子として用いた場合には、特に定められることなく自動的に復帰するため、電子カメラ等の携帯機器の使用者にとっては、機器の異常状態の発見に遅れが生じることがあり、また使用者の意志に関係なく機器は再起動するため、復帰のタイミングが判らないという問題点がある。更には、自動復帰により回路には繰り返し過電流が流れてしまう恐れがあり、場合によっては過電流の繰り返しによる破壊の恐れが発生する。
【０００５】
また、過電流回路保護素子としては、電気接点を機械的にオン・オフ制御するサーキットブレーカと呼ばれる素子がある。この保護素子はバイメタル特性を利用した熱応動スイッチで、手動でも復帰可能でありメンテナンスフリータイプのものであるが、機械的な可動接点を備え、構造が大型となり、小型化を追求した電子カメラ等の携帯機器には搭載が困難である。
【０００６】
本発明は、従来の回路保護素子を備えた携帯機器における上記問題点を解消するためになされたもので、自己復帰が可能であるが自動的な復帰が繰り返されず、回路復帰の事前確認後に自己復帰操作を行えるようにした自己復帰型保護素子を備えた携帯機器の電源装置を提供することを目的とする。
【０００７】
【課題を解決するための手段】
上記問題点を解決するため、請求項１に係る発明は、当該携帯機器内回路に異常電流が流れたときに、該回路の電源から供給される電流を制限するようになされた自己復帰型電流制限手段と、該自己復帰型電流制限手段で電流制限がなされたことを検出して、少なくとも前記回路への電源からの電力供給を遮断状態に保持する遮断保持手段と、前記自己復帰型電流制限手段により電流制限されたことの検出情報を記憶する記憶手段と、前記遮断保持手段で遮断された電力供給を再度開始するように、遮断状態の保持を解除する解除手段とを有し、前記解除手段による遮断状態の保持の解除は、前記記憶手段に記憶された電流制限に係る検出情報を無効化することにより行うようにして携帯機器の電源装置を構成するものである。
【０００８】
このように構成した携帯機器の電源装置においては、回路保護素子等の自己復帰型電流制限手段が一旦回路の電流制限を行い遮断状態に保持したのちは、自動的に復帰させずに遮断状態を保持させ、解除手段で遮断状態の保持を解除させることにより電力供給を再開させることができるようになっているので、自己復帰型電流制限手段の繰り返し動作による該電流制限手段並びに回路の破壊を防止することができると共に、復帰操作が容易であり且つ異常電流の再発時にも確実に遮断動作を行わせることが可能となり、また遮断保持状態の解除を容易に行うことができ、回路の破壊を伴わない電源制御を容易に実行することが可能となる。
【０００９】
請求項２に係る発明は、請求項１に係る携帯機器の電源装置において、前記解除手段を制御する操作手段を更に有し、前記遮断保持手段で遮断状態を保持している状態において、前記操作手段の操作により、その操作に連動して前記記憶手段に記憶された電流制限に係る検出情報を無効化するように構成されていることを特徴とするものである。このように構成することにより、回路を破壊することなしに、簡単な外部からの操作で遮断保持状態の解除を容易に行うことができる。
【００１０】
請求項３に係る発明は、請求項１又は２に係る携帯機器の電源装置において、前記遮断保持手段において遮断状態を保持していることを告知する告知手段を更に有していることを特徴とするものである。このように構成することにより、遮断状態が保持されていることをユーザが容易に認知することができる。
【００１１】
請求項４に係る発明は、当該携帯機器内の複数の回路の各々に対して設けられ、所定の回路に異常電流が流れたときに該回路の電源から供給される電流を各回路毎に制限するようになされた自己復帰型電流制限手段と、該自己復帰型電流制限手段で所定の回路に対する電流制限がなされたことを検出して、少なくとも前記所定の回路への電源からの電力供給を遮断状態に保持する遮断保持手段と、前記自己復帰型電流制限手段により電流制限されたことの検出情報を記憶する記憶手段と、前記遮断保持手段で遮断された所定の回路への電力供給を再度開始するように遮断状態の保持を解除する解除手段とを有し、前記解除手段による遮断状態の保持の解除は、前記記憶手段に記憶された電流制限に係る検出情報を無効化することにより行うようにして携帯機器の電源装置を構成するものである。
【００１２】
このように構成した電源回路においては、複数の回路の各々に対して自己復帰型電流制限手段を備えていて、回路毎に電流制御が行われ、異常が生じた回路を特定して遮断保持することができる。また、各回路毎の許容電流値を最適に設定できるので、許容値の小さい回路へ不要なダメージを与える恐れも生じない。また遮断保持状態の解除を容易に行うことができ、回路の破壊を伴わない電源制御を容易に実行することが可能となる。
【００１３】
請求項５に係る発明は、請求項４に係る携帯機器の電源装置において、前記遮断保持手段により遮断状態に保持された回路を特定するように告知する告知手段を更に有することを特徴とするものである。このように構成することにより、機器内の複数の回路において遮断保持状態の回路を容易に識別することが可能となる。
【００１４】
請求項６に係る発明は、請求項４又は５に係る携帯機器の電源装置において、前記遮断保持手段で遮断された所定の回路以外の回路への電力供給を許可する許可手段を更に有することを特徴とするものである。このように構成することにより、機器内の複数の回路において、異常状態により遮断状態に保持されている回路以外の正常回路へは電力が供給されるので、異常回路があった場合においても正常回路の通常の動作を実行させることができる。
【００１５】
請求項７に係る発明は、請求項１〜６のいずれか１項に係る携帯機器の電源装置において、前記自己復帰型電流制限手段による前記異常電流時の電流制限が、抵抗値データとして検出されるように構成されていることを特徴とするものであり、また請求項８に係る発明は、請求項１〜６のいずれか１項に係る携帯機器の電源装置において、前記自己復帰型電流制限手段による前記異常電流時の電流制限が、温度データとして検出されるように構成されていることを特徴とするものであり、また請求項９に係る発明は、請求項１〜６のいずれか１項に係る携帯機器の電源装置において、前記自己復帰型電流制限手段による前記異常電流時の電流制限が、電流データとして検出されるように構成されていることを特徴とするものである。このように自己復帰型電流制限手段による電流制限を、抵抗値データ、温度データあるいは電流データとして検出することにより、容易に回路の異常状態を検出することができる。
【００１６】
【発明の実施の形態】
次に、実施の形態について説明する。図１は、本発明を適用した実施の形態に係るデジタルカメラ（電子カメラ）の構成を示す概略ブロック構成図である。図１において、１は被写体光を取り込む撮影レンズ、２は撮影レンズ１を駆動するレンズ駆動回路、３は被写体光を画像信号に変換するＣＣＤ・撮像回路、４はフラッシュ回路、５はＣＣＤ・撮像回路３からの画像信号の画像処理並びに記録・再生処理等を行うデジタルカメラプロセス回路、６は画像信号の一時的記憶に用いるＳＤＲＡＭ、７はフラッシュメモリ、８は画像記録媒体、９は撮影画像及び記録画像等を表示するカメラモニタ、10は各部の動作を制御するカメラＣＰＵ、11は各種入力操作を行うカメラ操作スイッチ部、12はカメラ操作スイッチ部11からの入力並びにその他のカメラ表示を行うカメラ表示器、13はバッテリ電源14からの電力を各回路ブロックへ供給するための電源回路である。
【００１７】
そして、上記電源回路13には、ＰＴＣサーミスタなどからなる自己復帰型回路保護素子（請求項における電流制限手段に対応する）、該回路保護素子による電流制限状態を抵抗値又は温度又は電流データとして検出する検出回路、ＤＣ−ＤＣコンバータを含んでおり、上記回路保護素子の状態を検出回路で検出した検出データをカメラＣＰＵ10に入力するようになっている。そして、カメラＣＰＵ10では、上記回路保護素子の状態検出データを記憶し、その記憶された状態検出データに基づいて、カメラＣＰＵ10からは遮断保持並びにその解除のための制御信号をＤＣ−ＤＣコンバータへ送出されるようになっている。なお、ＤＣ−ＤＣコンバータの遮断保持状態の解除のための制御信号は、カメラ操作スイッチ部11からの入力操作により、カメラＣＰＵ10に記憶されている回路保護素子の状態検出データを無効化することによって、送出されるようになっている。
【００１８】
次に、このように構成されているデジタルカメラの電源回路において、回路に異常が発生した場合の基本動作を、図２のフローチャートに基づいて説明する。回路に異常状態が発生し、電源の負荷電流が過電流状態となった場合（ステップＳ１）、自己復帰型回路保護素子の電流制限によって素子温度及び抵抗値が上昇し（ステップＳ２）、その電流制限状態の検出データがカメラＣＰＵ10に入力される。上記回路保護素子の抵抗値及び素子温度の上昇により、回路側（２次側）の電源電圧が降下し（ステップＳ３）、その２次側電源電圧が電源回路13及びカメラＣＰＵ10で定義されている回路シャットダウン電圧に達しているか否かの判定が、検出データに基づいてカメラＣＰＵ10において行われ（ステップＳ４）、回路シャットダウン電圧に達していないときは、その電圧に達するまで上記ステップＳ２〜Ｓ４の動作が繰り返される。一方、回路シャットダウン電圧に達したときは、自己復帰型回路保護素子の電流制限機能による電源回路13のシャットダウンが行われると共に、カメラＣＰＵ10による電源回路13のシャットダウン動作、つまりＤＣ−ＤＣコンバータを遮断保持するための制御信号がカメラＣＰＵ10から送出されて、シャットダウン動作が開始され（カメラＣＰＵ強制ＯＦＦモード）（ステップＳ５）、電源がＯＦＦ状態（カメラ POWER OFF）となる（ステップＳ６）。上記ＤＣ−ＤＣコンバータを遮断保持するための制御信号をカメラＣＰＵ10が送出する際は、カメラＣＰＵ10では遮断制御信号を生成するための回路保護素子の電流制限状態に関する検出データが記憶されている。
【００１９】
電源がＯＦＦ状態となると、自己復帰型回路保護素子の素子温度及び抵抗値が低下し、回路保護素子は復帰動作を開始する（ステップＳ７）。そして、カメラＣＰＵ10では、検出回路で検出された上記回路保護素子の素子状態の検出データ（素子情報データ）の取り込みを開始する（ステップＳ８）。この際、電源ＯＮ（カメラ POWER ON)許可規定規格値（復帰規格値）が、カメラＣＰＵ10に図示していないＥＥＰＲＯＭなどから取り込まれ、カメラ表示器12に復帰動作開始中であること等の復帰情報を表示する（ステップＳ９）。
【００２０】
次いで、回路保護素子からの素子状態の検出データに基づいて、電源ＯＮ許可規定値をクリアしているか否かの判定が行われ（ステップＳ10）、クリアしていない場合は、ステップＳ９，Ｓ10の動作が繰り返し行われ、クリアしている場合は、カメラＣＰＵ10からの制御信号による強制的なＤＣ−ＤＣコンバータの遮断保持（強制ＯＦＦモード）を解除し、電源ＯＮを許可できる状態にする（ステップＳ11）。次いで、操作者によるカメラ電源ＯＮの操作をするかしないかの判断が行われ（ステップＳ12）、操作者が電源ＯＮの操作を行わないことにする場合は、デジタルカメラをカメラ分解修理に出す。一方、操作者の判断で POWER ON 操作をする場合には、操作者はカメラ操作スイッチ部11を操作して（ステップＳ13）、カメラＣＰＵ10における回路保護素子の電流制限状態に関する検出データの記憶を無効化して、遮断保持状態を解除し、その解除制御信号でＤＣ−ＤＣコンバータをＯＮ状態にして、電源ＯＮ（カメラ POWER ON)とする（ステップＳ14）。
【００２１】
このように、上記構成の電源回路によれば、組み込まれている回路保護素子は自己復帰可能であるが、ＤＣ−ＤＣコンバータの遮断状態を保持して自動的な電源ＯＮの復帰は繰り返されず、操作者が回路保護素子の復帰状態を事前に確認した後、カメラ操作スイッチ部の操作により遮断状態の保持を解除し、電源ＯＮとするようにしているので、回路並びに回路保護素子を破壊させることなく保護することができ、異常状態の再発時にも確実に遮断動作を行わせることができる。
【００２２】
次に、電源回路13の具体的な構成例について説明する。図３は、電源回路13の具体的な第１の構成例を示すブロック構成図である。この電源回路13は、バッテリ電源14に直列に接続されたＰＴＣサーミスタからなる自己復帰型回路保護素子21と、電源14に前記回路保護素子21を介して接続されたＤＣ−ＤＣコンバータ22と、回路保護素子21から抵抗値データを検出する抵抗値検出回路23とで構成されており、抵抗値検出回路23の検出データはカメラＣＰＵ10へ入力されて処理され、ＤＣ−ＤＣコンバータ22の遮断保持（POWER OFF)及びその解除（POWER ON）は、カメラＣＰＵ10からの制御信号（ POWERコントロール信号）により制御されるようになっている。なお、図３において、24はデジタルカメラ内の各種回路をまとめて２次回路（負荷）として示しているものである。
【００２３】
次に、このように構成されている電源回路の動作を、図４に示すフローチャートに基づいて説明する。２次回路24の異常状態により過負荷電流が発生すると（ステップＳ21）、自己復帰型回路保護素子21の温度上昇により、その抵抗値が上昇する（ステップＳ22）。回路保護素子21の抵抗値データは常時抵抗値検出回路23で検出され、カメラＣＰＵ10に入力されている。次に、上昇した回路保護素子21の抵抗値に基づく電圧降下による２次電圧が、回路シャットダウン電圧に達している否かの判定がカメラＣＰＵ10において行われ（ステップＳ23）、達していない場合は、ステップＳ22，Ｓ23の動作が繰り返され、達している場合は、カメラＣＰＵ10より遮断制御信号がＤＣ−ＤＣコンバータ22へ送出され、該ＤＣ−ＤＣコンバータ22を遮断保持してシャットダウンさせ（ステップＳ24）、電源回路をＯＦＦ状態（カメラ POWER OFF）とする（ステップＳ25）。
【００２４】
次いで、電源回路がＯＦＦ状態になると、回路保護素子21の素子温度が降下して抵抗値が低下し、回路保護素子21の復帰動作を開始する（ステップＳ26）。そして、カメラＣＰＵ10では、抵抗値検出回路23で検出された回路保護素子21の抵抗値に関する情報データ（抵抗値データ）の取り込みを開始する（ステップＳ27）。この際、電源回路ＯＮ（POWER ON）規定値（回路保護素子復帰保証値）が、カメラＣＰＵ10に図示していないＥＥＰＲＯＭなどから取り込まれる。上記ステップＳ27における回路保護素子21の抵抗値に関する情報データの取り込み開始後は、回路保護素子21に関する抵抗値データが電源回路ＯＮ規定値に達しても直ちにＤＣ−ＤＣコンバータ22の遮断保持状態が解除されないように、すなわちカメラＣＰＵ10により、解除制御信号が送出されるのを拒否する状態（POWER ON制限状態）が継続される。この動作は、カメラＣＰＵ10への回路保護素子の電流制限状態に関する検出データ（抵抗値データ）の記憶操作により維持される。
【００２５】
次いで、操作者によりカメラ電源回路のＯＮ操作をするかしないかの判断が行われ（ステップＳ29）、操作者が電源回路のＯＮ操作を行わない場合は、上記  ステップＳ29の判断動作が繰り返し行われる。一方、操作者の判断で電源回路のＯＮ操作をする場合は、まず、カメラＣＰＵ10において、抵抗値検出回路23で検出されている復帰動作開始中の回路保護素子21の抵抗値データが電源回路ＯＮ規定値以下になっているか否かの比較判定が行われる（ステップＳ30）。そして、検出されている抵抗値データが規定値以下になっていないときは、ステップＳ29，Ｓ30の動作を繰り返し行い、検出抵抗値データが規定値以下になっている場合は、操作者がカメラ操作スイッチ部11を操作してPOWER ON制限解除信号をカメラＣＰＵ10に入力し（ステップＳ31）、カメラＣＰＵ10における回路保護素子の電流制限状態に関する検出データの記憶を無効化して遮断保持状態を解除し、その解除制御信号によりＤＣ−ＤＣコンバータをＯＮ状態して、カメラ電源回路をＯＮとする（ステップＳ32）。
【００２６】
このように、本構成例においては、自己復帰型回路保護素子を用いているが、電源の復帰再投入には、操作者による操作スイッチ部からのPOWER ON制限解除信号の入力を要し、自動的な電源ＯＮの復帰動作の繰り返しを阻止し、回路及び回路保護素子の破壊を防止することができる。
【００２７】
次に、電源回路の具体的な第２の構成例を図５に示すブロック構成図に基づいて説明する。この構成例は、過負荷電流発生時における自己復帰型回路保護素子の温度並びに抵抗値変化を、電流値に換算して検出する電流検出回路25を、抵抗値検出回路の代わりに用い、該電流検出回路25で検出した電流データをカメラＣＰＵ10へ送出し、処理するようにしたものである。
【００２８】
このように構成した第２の構成例の動作は、図６のフローチャートに示すように、ステップＳ43において、電流検出回路25で検出された電流データに対応する回路保護素子21の抵抗値に基づく電圧降下による２次電圧が、回路シャットダウン電圧に達しているか否かの判定を、カメラＣＰＵ10において行うようにしている点と、ステップＳ47において、電源ＯＦＦ後の復帰動作時に、電流検出回路25で抵抗値から換算して検出された回路保護素子21の電流データのカメラＣＰＵ10における取り込みを開始して、その際電流に関する電源回路ＯＮ規定値を外部より取り込むようにしている点と、ステップＳ50において、電流検出回路25で検出されている復帰動作開始中の回路保護素子21の素子状態に対応する電流データが、電源回路ＯＮ規定値以上になっているか否かの比較判定を行っている点で、図４に示した第１の構成例の動作と異なるが、他のステップにおける動作及び効果は同じであるので、上記ステップ以外のステップの動作説明は省略する。このように回路保護素子の電流制限状態に関する電流データを検出する場合も、抵抗値データの検出の場合と同様な作用効果が得られる。
【００２９】
次に、電源回路の第３の構成例を図７に示すブロック構成図に基づいて説明する。この構成例は、図３に示した第１の構成例において、カメラＣＰＵ10において遮断解除動作の拒否状態にあること、あるいは遮断解除動作の拒否を解除する状態にあることを表示するＬＥＤ等からなる表示器26を、追加配置しているものである。なお、この表示器26はカメラ表示器12で兼用させるようにしてもよい。
【００３０】
次に、このように構成されている第３の構成例の動作を図８に示すフローチャートに基づいて説明する。この構成例においては、図８のフローチャートのステップＳ61からステップＳ68までの動作は、図４に示した第１の構成例の動作を説明するフローチャートのステップＳ21からステップＳ28までの動作と同一であるので、その説明は省略する。ステップＳ68においては、回路保護素子21が復帰動作を開始して、その抵抗値が電源回路のＯＮ規定値に達しても直ちにＤＣ−ＤＣコンバータ22の遮断保持状態が解除されないように、カメラＣＰＵ10により解除制御信号が送出されるのを拒否する状態（POWER ON制限状態）が続行されているが、本構成例においては、この拒否状態が継続されている場合、ＬＥＤ表示器26を点滅あるいは点灯して、操作者に遮断解除動作拒否状態であることの警告を与えるようになっている（ステップＳ69）。
【００３１】
次いで、復帰動作開始中の回路保護素子21の抵抗値が電源回路ＯＮ規定値以下になっているか否かの比較判定が行われ（ステップＳ70）、検出抵抗値データが規定値以下になっていないときは、ステップＳ69及びＳ70の動作が、検出抵抗値データが規定値以下になるまで繰り返される。検出抵抗値データが規定値以下になっている場合は、ＬＥＤ表示器26による点滅あるいは点灯表示を消灯して上記警告表示が解除される（ステップＳ71）。次いで、操作者によりカメラ電源回路のＯＮ操作をするかしないかの判断が行われ（ステップＳ72）、操作者が電源回路のＯＮ操作を行わない場合は、ステップＳ71，Ｓ72の動作が繰り返される。操作者の判断で電源回路のＯＮ操作を行う場合は、操作者がカメラ操作スイッチ部11を操作して（ステップＳ73）、カメラＣＰＵ10における回路保護素子の電流制限状態に関する検出抵抗値データの記憶を無効化して遮断保持状態を解除し、その解除制御信号によりＤＣ−ＤＣコンバータをＯＮ状態にして、カメラ電源回路をＯＮとする（ステップＳ74）。
【００３２】
この第３の構成例は、図３に示した第１の構成例に表示器26を追加適用したものを示したが、図５に示した電流検出回路を設けた第２の構成例に表示器26を追加適用することもでき、同様な作用効果が得られる。
【００３３】
次に、電源回路の第４の構成例について説明する。この構成例は、図７に示した第３の構成例と基本的に同一であるので、その図示は省略する。この第４の構成例においては、第３の構成例において、遮断解除動作の拒否状態にあることの警告表示に用いているＬＥＤ表示器26を、回路保護素子の復帰動作が行われその検出抵抗値が規定値以下になって回路保護素子が復帰完了状態になっていることを、点滅あるいは点灯により表示させるのに用いるようにしているものである。
【００３４】
次に、この第４の構成例の動作を図９に示すフローチャートに基づいて説明する。この構成例においては、図９のフローチャートのステップＳ81からステップＳ88までの動作は、図４に示した第１の構成例の動作を説明するフローチャートのステップＳ21からステップＳ28までの動作、及び図８に示した第３の構成例の動作フローチャートのステップＳ61からステップＳ68までの動作と同一であるので、その説明は省略する。ステップＳ88において、回路保護素子21が復帰動作を開始して、その抵抗値が電源回路のＯＮ規定値に達しても直ちにＤＣ−ＤＣコンバータ22の遮断保持状態が解除されないように、カメラＣＰＵ10により解除制御信号が送出されるのを拒否する状態が続行され後、復帰動作開始中の回路保護素子21の検出抵抗値が電源回路ＯＮ規定値以下になっているか否かの比較判定が行われる（ステップＳ89）。この判定において、検出抵抗値が規定値以下になっていないときは、ステップＳ88及びステップＳ89の動作が、検出抵抗値が規定値以下になるまで繰り返される。
【００３５】
検出抵抗値が規定値以下になっている場合は、ＬＥＤ表示器26により点滅ある点灯表示して（ステップＳ90）、回路保護素子の復帰動作が完了していることを操作者に認識させる。次いで、操作者によりカメラ電源回路のＯＮ操作を行うか否かの判断が行われ（ステップＳ91）、操作者が電源回路のＯＮ操作を行わない場合は、ステップＳ90，Ｓ91の動作が繰り返される。操作者の判断で電源回路のＯＮ操作を行う場合は、操作者がカメラ操作スイッチ部11を操作して（ステップＳ92）、カメラＣＰＵ10における回路保護素子の電流制限状態に関する抵抗値検出データの記憶を無効化して遮断保持状態を解除し、その解除制御信号によりＤＣ−ＤＣコンバータをＯＮ状態にして、カメラ電源回路をＯＮとする（ステップＳ93）。
【００３６】
この第４の構成例は、図３に示した第１の構成例に表示器を追加適用したものを示したが、図５に示した電流検出回路を設けた第２の構成例に表示器を追加適用することもでき、同様な作用効果が得られる。
【００３７】
次に、電源回路の第５の構成例を、図10に示すブロック構成図に基づいて説明する。この構成例は、自己復帰型回路保護素子21の電流制限状態に関する抵抗値データあるいは電流データを検出する検出回路の代わりに、回路保護素子の電流制限状態に関する温度データを検出する温度検出回路27を設け、該温度検出回路27で検出された温度データをカメラＣＰＵ10に入力して、その温度データに基づいて上記各構成例と同様な処理を行うようにしたものである。
【００３８】
次に、このように構成された第５の構成例の動作を、図11に示すフローチャートに基づいて説明する。２次回路の異常状態により過電流が発生すると（ステップＳ101 ）、自己復帰型回路保護素子21の温度が上昇する（ステップＳ102 ）。回路保護素子21に関するの温度データは常時温度検出回路27で検出され、カメラＣＰＵ10に入力されている。次に、検出された回路保護素子21の温度データに対応する抵抗値に基づく電圧降下による２次回路電圧が、回路シャットダウン電圧に達しているか否かの判定がカメラＣＰＵ10において行われ（ステップＳ103 ）、達していない場合は、ステップＳ102 ，Ｓ103 の動作が繰り返され、達している場合は、カメラＣＰＵ10から遮断制御信号をＤＣ−ＤＣコンバータ22へ送出し、該ＤＣ−ＤＣコンバータ22を遮断保持してシャットダウンさせ（ステップＳ104 ）、電源回路をＯＦＦ状態にする（ステップＳ105 ）。
【００３９】
次いで、電源回路がＯＦＦ状態になると、回路保護素子21の温度が降下し、復帰動作を開始する（ステップＳ106 ）。そして、カメラＣＰＵ10では、温度検出回路27で検出された回路保護素子21の温度に関する情報データ（温度データ）の取り込みを開始する（ステップＳ107 ）。この際、素子温度に関する電源回路ＯＮ規定値が、カメラＣＰＵ10にＥＥＰＲＯＭなどから取り込まれる。上記ステップＳ107 における回路保護素子21の温度に関する情報データの取り込み開始後は、回路保護素子21の温度データが電源回路ＯＮ規定値に達しても直ちにＤＣ−ＤＣコンバータ22の遮断保持状態が解除されないように、カメラＣＰＵ10により解除制御信号が送出されるのを拒否する動作が継続される（ステップＳ108 ）。
【００４０】
次いで、操作者によりカメラ電源回路のＯＮ操作をするか否かの判断が行われ（ステップＳ109 ）、操作者が電源回路のＯＮ操作を行わない場合は、上記ステップＳ109 の判断動作が繰り返し行われる。一方、操作者の判断で電源回路をＯＮ操作する場合は、まずカメラＣＰＵ10において、温度検出回路27で検出されている復帰動作中の回路保護素子21の温度データが電源回路ＯＮ規定値以下になっているか否かの比較判定が行われる（ステップＳ110 ）。そして、検出温度データが規定値以下になっていない場合は、ステップＳ109 ，Ｓ110 の動作を繰り返し行い、検出温度データが規定値以下になっている場合は、操作者がカメラ操作スイッチ部11を操作して（ステップＳ111 ）、カメラＣＰＵ10における回路保護素子の電流制限状態に関する検出温度データの記憶を無効化して遮断保持状態を解除し、その解除制御信号によりＤＣ−ＤＣコンバータをＯＮ状態にして、カメラ電源回路をＯＮとする（ステップＳ112 ）。このように、回路保護素子の温度データを検出する場合も、抵抗値データあるいは電流データを検出し処理する第１及び第２の構成と同様な作用効果が得られる。
【００４１】
次に、電源回路の第６の構成例について、図12に示すブロック構成図に基づいて説明する。この構成例は、複数の２次回路、図示例では28Ａ，28Ｂ，28Ｃの３つの２次回路に対して、それぞれ自己復帰型回路保護素子21Ａ，21Ｂ，21Ｃを配設し、それに対応して各回路保護素子毎の温度データ、抵抗値データあるいは電流データを検出する検出回路、この図示例では電流検出回路29を設けて、各回路保護素子の電流制限状態に関する電流データをカメラＣＰＵ10へ入力処理し、異常電流発生時には、各２次回路毎に遮断保持し、異常状態の２次回路以外の正常な２次回路は通常動作を維持させると共に、どの回路系が異常状態であって遮断保持状態とされているかを、表示装置30で表示させるように構成したものである。なお、表示装置30はカメラ表示器12で兼用させるようにしてもよい。
【００４２】
次に、この第６の構成例における第１の動作例を、図13に示すフローチャートに基づいて説明する。２次回路28Ａ，28Ｂ，28Ｃのいずれかにおいて異常状態により過電流が発生すると（ステップＳ121 ）、過電流発生２次回路に対応する回路保護素子の温度上昇により抵抗値が増大し、電流検出回路29では抵抗値増大による電流制限状態に対応する電流データが検出され、カメラＣＰＵ10にその電流データが入力される（ステップＳ122 ）。次に、過電流が検出された回路系の回路保護素子の抵抗値増大に基づく電圧降下による２次回路電圧が、回路シャットダウン電圧に達しているか否かの判定が行われ（ステップＳ123 ）、達していない場合は、ステップＳ122 ，Ｓ123 の動作が繰り返され、達している場合は、カメラＣＰＵ10により遮断制御信号を、過電流発生２次回路の図示していないＤＣ−ＤＣコンバータに送出し、該ＤＣ−ＤＣコンバータを遮断保持してシャットダウンさせ（ステップＳ124 ）、異常状態の２次回路をＯＦＦ状態とする（ステップＳ125 ）。
【００４３】
次いで、異常状態の２次回路がＯＦＦ状態になると、その２次回路に対応する回路保護素子の素子温度は降下して、該回路保護素子の復帰動作が開始する（ステップＳ126 ）。そして、カメラＣＰＵ10では、電流検出回路で換算検出された電流値に関する情報データ（電流データ）の取り込みを開始する（ステップＳ127 ）。この際、電流データに関しての２次回路ＯＮ規定値が、カメラＣＰＵ10にＥＥＰＲＯＭなどから取り込まれる。上記ステップＳ127 における異常２次回路に対応する回路保護素子の抵抗値に基づく電流データの取り込み開始後は、表示装置30に異常発生２次回路の情報を表示して、操作者が異常発生個所を容易に認識できるようにする（ステップＳ128 ）。
【００４４】
次に、第６の構成例における第２の動作例を、図14に示すフローチャートに基づいて説明する。この動作例は、上記第１の動作例において表示装置30に異常個所の表示を行った後に、復帰動作を行わせるようにした動作例である。すなわち、上記図13に示した第１の動作例において、ステップＳ128 において、異常２次回路の表示を行った後、自己復帰動作中の異常回路に対応する回路保護素子の抵抗値に対応する電流データが、２次回路ＯＮ規格値に達していても、直ちに対応する異常回路のＤＣ−ＤＣコンバータの遮断保持状態が解除されないように、カメラＣＰＵ10により解除制御信号が送出されるのを拒否する動作が継続される（ステップＳ129 ）。次いで、操作者によりカメラ電源回路のＯＮ操作を行うか否かの判断が行われ（ステップＳ130 ）、操作者が電源回路のＯＮ操作を行わない場合は、上記ステップＳ130 の判断動作が繰り返し行われる。一方、操作者の判断で電源回路のＯＮ操作をする場合は、まずカメラＣＰＵ10において、電流検出回路29で検出されている復帰動作中の回路保護素子の抵抗値に対応する電流データが電源回路ＯＮ規定値以下になっているか否かの比較判定が行われる（ステップＳ131 ）。そして検出電流データが規定値以下になっていないときは、ステップＳ130 ，Ｓ131 の動作を繰り返し行い、検出電流データが規定値以下になっている場合は、操作者がカメラ操作スイッチ部11を操作して（ステップＳ132 ）、カメラＣＰＵ10における対応する回路保護素子の電流制限状態に関する電流データの記憶を無効化して遮断保持状態を解除し、その解除制御信号により、対応するＤＣ−ＤＣコンバータをＯＮ状態にして、対応する２次回路をＯＮとする（ステップＳ133 ）。
【００４５】
このように、上記構成例６によれば、機器内に複数回路を有する場合に、各回路毎に異常発生時に遮断保持し、正常回路は通常動作を維持させることができ、また異常状態の回路を容易に判別することができる。また、上記第６構成例では、検出回路として電流検出回路を用いたものを示したが、抵抗値検出回路あるいは温度検出回路を設けたものにも同様に適用できる。
【００４６】
【発明の効果】
以上実施の形態に基づいて説明したように、請求項１に係る発明によれば、自己復帰型電流制限手段の繰り返し動作による該電流制限手段及び回路の破壊を防止することができると共に、復帰操作が容易であり且つ異常状態の再発時にも確実に対応することが可能であり、また遮断保持状態の解除を容易に行うことができ、回路の破壊を伴わない電源制御を容易に行うことができる携帯機器の電源装置を実現できる。請求項２に係る発明によれば、回路を破壊することなく、簡単な操作で遮断保持状態の解除を容易に行うことができる。請求項３に係る発明によれば、遮断状態に保持されていることをユーザが容易に認知することができる。請求項４に係る発明によれば、各回路毎に電流制御が行われ、異常が生じた回路を特定して遮断保持することができ、また各回路ごとの許容電流値を最適に設定できるので、許容値の小さい回路へのダメージを与える恐れも生じさせず、また遮断保持状態の解除を容易に行うことができ、回路の破壊を伴わない電源制御を容易に行うことができる携帯機器の電源装置を実現できる。請求項５に係る発明によれば、機器内の複数の回路において遮断保持状態の回路を容易に識別することができる。請求項６に係る発明によれば、異常状態により遮断状態に保持されている回路以外の正常回路は、異常回路があった場合でも正常な動作を行わせることができる。請求項７〜９に係る発明によれば、容易に回路の異常状態を検出することが可能となる。
【図面の簡単な説明】
【図１】  本発明による携帯機器の電源装置を適用した実施の形態に係るデジタルカメラの構成を示す概略ブロック構成図である。
【図２】  図１に示した実施の形態に係るデジタルカメラの動作を説明するためのフローチャートである。
【図３】  図１に示したデジタルカメラの電源回路の具体的な第１の構成例を示すブロック構成図である。
【図４】  図３に示した電源回路の第１の構成例の動作を説明するためのフローチャートである。
【図５】  電源回路の第２の構成例を示すブロック構成図である。
【図６】  図５に示した電源回路の第２の構成例の動作を説明するためのフローチャートである。
【図７】  電源回路の第３の構成例を示すブロック構成図である。
【図８】  図７に示した電源回路の第３の構成例の動作を説明するためのフローチャートである。
【図９】  電源回路の第４の構成例の動作を説明するためのフローチャートである。
【図10】  電源回路の第５の構成例を示すブロック構成図である。
【図11】  図10に示した電源回路の第５の構成例の動作を説明するためのフローチャートである。
【図12】  電源回路の第６の構成例を示すブロック構成図である。
【図13】  図12に示した電源回路の第６の構成例の第１の動作例を説明するためのフローチャートである。
【図14】  図12に示した電源回路の第６の構成例の第２の動作例を説明するためのフローチャートである。
【符号の説明】
１  撮影レンズ
２  レンズ駆動回路
３  ＣＣＤ・撮像回路
４  フラッシュ回路
５  デジタルカメラプロセス回路
６  ＳＤＲＡＭ
７  フラッシュメモリ
８  画像記録媒体
９  カメラモニタ
10  カメラＣＰＵ
11  カメラ操作スイッチ部
12  カメラ表示器
13  電源回路
14  バッテリ電源
21，21Ａ，21Ｂ，21Ｃ  自己復帰型回路保護素子
22  ＤＣ−ＤＣコンバータ
23  抵抗値検出回路
24  ２次回路
25  電流検出器
26  表示器
27  温度検出回路
28Ａ，28Ｂ，28Ｃ  ２次回路
29  電流検出回路
30  表示装置
【図１】
0003965295.tif 000002
【図２】
0003965295.tif 000003
【図３】
0003965295.tif 000004
【図４】
0003965295.tif 000005
【図５】
0003965295.tif 000006
【図６】
0003965295.tif 000007
【図７】
0003965295.tif 000008
【図８】
0003965295.tif 000009
【図９】
0003965295.tif 000010
【図１０】
0003965295.tif 000011
【図１１】
0003965295.tif 000012
【図１２】
0003965295.tif 000013
【図１３】
0003965295.tif 000014
【図１４】
0003965295.tif 000015